(57)【要約】  【課題】モールドボードを備えた舗装機械において、アスファルト合材量を一定量に保持するために、モールドボードの上下方向における位置調整作業を簡単かつ迅速に行うことができるようにする。  【解決手段】シャフト２３を回転させてモールドボード１９を上下移動させる上下調整機構２４の操作を、切換スイッチを介して制御される正逆２方向に回転可能なモータ３６の動力で行うようにした。【選択図】図６
2008190180.tif 000002
【特許請求の範囲】
【請求項１】
主スクリードの幅方向外側へ伸縮移動する左右１対の伸縮スクリードと対向し、かつ該伸縮スクリードと連動しながら、前記主スクリードの前方幅方向に移動されるモールドボードを上下に移動させる上下調整機構を備え、該上下調整機構が、外周軸回りにねじ部を設けて前記モールドボードに沿って取り付けられた回転可能なシャフトと、前記ねじ部に螺合されたボスと、該ボスの下部に固設されたアームに傾斜して開穿されているガイド孔と、前記モールドボードの上端部に固設され、かつ前記ガイド孔に係合して取り付けられたピンとを有してなり、前記シャフトを回転させることにより該シャフト上で前記ボスをねじ送りし、前記ガイド孔と前記ピンとの係合により前記モールドボードの下面部と路面との隙間を調整する舗装機械におけるモールドボードの上下位置調整装置において、
前記シャフトを正逆両方向に回転させるモータを有する駆動機構と、前記モータの回転操作を指示する切換スイッチと、前記切換スイッチからの指示信号に基づいて前記モータの回転を制御するコントローラとを備えたことを特徴とする舗装機械におけるモールドボードの上下位置調整装置。
【請求項２】
上記モールドボードの上下方向の高さ位置を、作業者に表示する位置表示手段を設けたことを特徴とする請求項１記載の舗装機械におけるモールドボードの上下位置調整装置。
【発明の詳細な説明】
【技術分野】
【０００１】
本発明は、舗装機械におけるモールドボードの上下位置調整装置に関するものである。
【背景技術】
【０００２】
アスファルトフィニッシャをはじめとする従来の舗装機械には、アスファルト合材を敷き均すために、機体の後部にスクリードが設けられている。このスクリードは、幅方向中央部に配設された主スクリードと、該主スクリードの前部または後部に配設され、かつ幅方向外側へ伸縮するようにして移動自在に取り付けられた左右一対の伸縮スクリードとからなる。そして、スクリード幅を拡張する場合は、油圧シリンダやラックギヤ等にて構成された伸縮機構部を伸長側へ作動して、伸縮スクリードを幅方向外側に移動させる。
【０００３】
また、主スクリードの前面にモールドボードが幅方向へ移動自在に取り付けられている。該モールドボードは、伸縮スクリードを幅方向外側へ移動してスクリード幅を拡張したときに、伸縮スクリードの前方に広げられたアスファルト合材の抱え込み量を調整するためのものであり、伸縮スクリードの移動に伴って該モールドボードが前記伸縮スクリードの前方に対向しながら移動するように形成されている。
【０００４】
ここで、スクリード前に溜まるアスファルト合材量は、合材の種類や温度等により常に変化する。例えば、舗装作業の施工開始時は伸縮スクリード前の合材量は殆どないため、モールドボードの下端部と路面との隙間を大きくして合材の入り量を多くし、合材の溜まり量が十分になった後には合材量を一定に保つように、モールドボードの上下方向の位置を変えて路面との隙間を調整可能にしたアスファルト合材量の調整装置は知られている（例えば、特許文献１参照）。
【０００５】
上記特許文献１記載の装置をはじめ従来の舗装機械において、モールドボードの上下位置調整装置は、ボックスレンチやスパナを使って、モールドボードを手動で上下動させる構造を採用している。
【特許文献１】特許第３７１３２４７号公報。
【発明の開示】
【発明が解決しようとする課題】
【０００６】
上述したように、従来のモールドボードは、ボックスレンチやスパナを使って、モールドボードを手動で上下動させる構造を採用しているため、調整作業が面倒であった。また、合材量を目視で観察するため、舗装作業を一時中断して調整を行う必要があり、作業性が悪いという問題があった。
【０００７】
そこで、モールドボードを備えた舗装機械において、アスファルト合材量を一定量に保持するために、モールドボードの上下方向における位置調整作業を簡単かつ迅速に行うことができるようにするために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、主スクリードの幅方向外側へ伸縮移動する左右１対の伸縮スクリードと対向し、かつ該伸縮スクリードと連動しながら、前記主スクリードの前方幅方向に移動されるモールドボードを上下に移動させる上下調整機構を備え、該上下調整機構が、外周軸回りにねじ部を設けて前記モールドボードに沿って取り付けられた回転可能なシャフトと、前記ねじ部に螺合されたボスと、該ボスの下部に固設されたアームに傾斜して開穿されているガイド孔と、前記モールドボードの上端部に固設され、かつ前記ガイド孔に係合して取り付けられたピンとを有してなり、前記シャフトを回転させることにより該シャフト上で前記ボスをねじ送りし、前記ガイド孔と前記ピンとの係合により前記モールドボードの下面部と路面との隙間を調整する舗装機械におけるモールドボードの上下位置調整装置において、前記シャフトを正逆両方向に回転させるモータを有する駆動機構と、前記モータの回転操作を指示する切換スイッチと、前記切換スイッチからの指示信号に基づいて前記モータの回転を制御するコントローラとを備えた舗装機械におけるモールドボードの上下位置調整装置を提供する。
【０００９】
この構成によれば、作業者がスクリードを操作している所定の位置から動くことなく、その位置において、切換スイッチを介して駆動機構のモータの回転を指示すると、この指示信号に基づいてコントローラがモータを指示された方向に回転させる。また、モータの駆動によりシャフトが回転すると、該シャフト上のねじ部と螺合しているボスがねじ送りされ、シャフト上をアームと共に移動する。アームが移動すると、ガイド孔に係合しているピンが、アームの移動方向に応じて、モールドボードと共に上または下方向へ移動し、モールドボードの上下方向の位置が調整される。
【００１０】
請求項２記載の発明は、請求項１において、上記モールドボードの上下方向の高さ位置を作業者に表示する位置表示手段を設けた舗装機械におけるモールドボードの上下位置調整装置を提供する。
【００１１】
この構成によれば、位置表示手段に表示されるモールドボードの位置情報を見ながら、作業者が切換スイッチを操作し、モールドボードの上下方向の高さ位置を簡単、かつ確実に調整することができる。
【発明の効果】
【００１２】
請求項１記載の発明は、作業者がスクリードを操作している所定の位置から動くことなく、その位置において、切換スイッチを介して駆動機構のモータの回転を指示すると、この指示信号に基づいて、モールドボードを上または下方向に移動させて、上下方向の位置を調整することができるので、構造が簡単で安価な装置であるにも拘わらず、モールドボードの上下方向における位置調整の作業を簡単かつ迅速に行うことができる。
【００１３】
請求項２記載の発明は、位置表示手段に表示されているモールドボードの位置情報を見ながら、作業者が切換スイッチを操作して、モールドボードの上下方向の位置を調整することができるので、請求項１の発明の効果に加えて、さらに簡単かつ迅速に行うことができる。
【発明を実施するための最良の形態】
【００１４】
モールドボードを備えた舗装機械において、モールドボードを備えた舗装機械において、アスファルト合材量を一定量に保持するために、モールドボードの上下方向における位置調整作業を簡単かつ迅速に行うことができるようにするという目的を達成するために、主スクリードの幅方向外側へ伸縮移動する左右１対の伸縮スクリードと対向し、かつ該伸縮スクリードと連動しながら、前記主スクリードの前方幅方向に移動されるモールドボードを上下に移動させる上下調整機構を備え、該上下調整機構が、外周軸回りにねじ部を設けて前記モールドボードに沿って取り付けられた回転可能なシャフトと、前記ねじ部に螺合されたボスと、該ボスの下部に固設されたアームに傾斜して開穿されているガイド孔と、前記モールドボードの上端部に固設され、かつ前記ガイド孔に係合して取り付けられたピンとを有してなり、前記シャフトを回転させることにより該シャフト上で前記ボスをねじ送りし、前記ガイド孔と前記ピンとの係合により前記モールドボードの下面部と路面との隙間を調整する舗装機械におけるモールドボードの上下位置調整装置において、前記シャフトを正逆両方向に回転させるモータを有する駆動機構と、前記モータの回転操作を指示する切換スイッチと、前記切換スイッチからの指示信号に基づいて前記モータの回転を制御するコントローラとを備えたことにより実現した。
【実施例】
【００１５】
以下、本発明の舗装機械におけるモールドボードの上下位置調整装置について、好適な実施例をあげて説明する。
【００１６】
図１乃至図４は、本発明に係るモールドボードの上下位置調整装置を適用した舗装機械の一実施の形態を示すものである。図１乃至図４において、符号１０は舗装機械の一例としてのアスファルトフィニッシャである。該アスファルトフィニッシャ１０は、機体の前部にアスファルト合材を貯蔵するホッパ１１を備え、このホッパ１１に貯蔵した合材をコンベヤ１２により後方へ搬送し、スクリュースプレッダ１３にて合材を左右に広げながら、スクリード１４により合材を道路に敷き均して舗装面を平滑に仕上げる。
【００１７】
前記スクリード１４は、幅方向中央部に配設された主スクリード１５と、該主スクリード１５の後部に配設され、かつ幅方向外側へ移動自在に取り付けられた左右一対の伸縮スクリード１６，１６とからなる。主スクリード１５の外側面には、前端部を機体の左右両側面に上下回動自在に取り付けているスクリードアーム１７の後端部が連結されており、機体の進行に伴いスクリード１４が牽引されるように構成してある。
【００１８】
また、主スクリード１５の前面には支持パイプ１８が左右方向略水平に固設されており、この支持パイプ１８にモールドボード１９の上端に設けたパイプ軸２０が左右方向へ摺動自在に挿入されている。該パイプ軸２０の外側端部はサイドフレーム２１に支持され、さらにサイドフレーム２１はサイドアーム２２により伸縮スクリード１６の外側面に連結されている。前記モールドボード１９は主スクリード１５の前面、かつ支持パイプ１８の下方に配設され、パイプ軸２０が支持パイプ１８の中をスライドすることにより、左右幅方向へ移動自在に取り付けられている。
【００１９】
そして、伸縮スクリード１６が幅方向外側へ移動してスクリード幅が拡張されたときは、パイプ軸２０が支持パイプ１８内をスライドしてモールドボード１９が外側へ移動する。すなわち、伸縮スクリード１６の移動に伴って、該モールドボード１９が常に伸縮スクリード１６の前方を対向しながら移動し、伸縮スクリード１６の前方に広げられた合材量を一定に調整するように形成されている。
【００２０】
図５乃至図７は、前記モールドボード１９を示す。該モールドボード１９は、パイプ軸２０の下部にシャフト２３を幅方向略水平で、かつ回転自在に配設している。このシャフト２３は、上下調整機構２４を介してモールドボード１９と連結されている。該上下調整機構２４は、シャフト２３の回転を上下方向の動きに変換してモールドボード１９に伝え、このモールドボード１９を上下方向に移動させる。また、シャフト２３の回転は、上下位置調整装置３０により操作される。
【００２１】
前記上下調整機構２４は、シャフト２３の外周に、軸回りに設けられているねじ部２５に螺合するボス２６と、該ボス２６の下部に固設されたアーム２７と、このアーム２７に傾斜して開穿されたガイド孔２８と、モールドボード１９の上端部に基端部が固設されて、かつ先端部がガイド孔２８に係合されているピン２９等から構成されている。なお、ボス２６とアーム２７とは一体であり、アーム２７のガイド孔２８にモールドボード１９のピン２９が係合しているため、ボス２６はシャフト２３の軸周りに回転することが規制されている。
【００２２】
そして、前記上下調整機構２４は、後述する上下位置調整装置３０による操作でシャフト２３が回転されると、ねじ部２５に螺合しているボス２６は、前述したようにシャフト２３の軸周りに回転することが規制されているため、シャフト２３の軸方向、すなわちモールドボード１９の幅方向にねじ送りされて、シャフト２３上を移動する。すなわち、該ボス２６が、例えば図６において左方向へ移動すれば、アーム２７のガイド孔２８も左方向へ移動するため、ガイド孔２８に係合しているピン２９は、ガイド孔２８の傾斜に沿って右上方向へ押圧され、モールドボード１９と共に上昇する。一方、ボス２６が、例えば図６において、右方向へ移動すれば、アーム２７のガイド孔２８も右方向へ移動するため、ガイド孔２８に係合しているピン２９は、ガイド孔２８の傾斜に沿って左下方向へ押圧され、モールドボード１９と共に下降する。
【００２３】
図８は、上下位置調整装置３０の構成ブロック図である。上下位置調整装置３０は、コントローラ３１と，駆動機構３２と，切換スイッチ３３と，高さセンサ３４と，位置表示手段３５とを備える。コントローラ３１は、上下位置調整装置３０の全体を制御する制御回路部である。
【００２４】
前記駆動機構３２は、シャフト２３を回転させるもので、図６で詳細に示しているように、正逆２方向に回転するモータ３６と、互いに噛合している１対の歯車３７ａ，３７ｂとを有している。前記モータ３６は、サイドフレーム２１の上部に取り付けられており、該モータ３６の出力軸に歯車３７ａが該出力軸と一体回転するようにして取り付けられている。また、前記シャフト２３の一端部に歯車３７ｂが該シャフト２３と一体回転するようにして取り付けられている。したがって、駆動機構３２は、モータ３６が駆動されると該モータ３６の回転を歯車３７ａ，３７ｂを介してシャフト２３に伝達し、該シャフト２３が正または逆方向に回転する。
【００２５】
前記切換スイッチ３３は、モータ３６の回転及び方向を指示するためのスイッチで、図１に示すように、スクリード１４の後部に設けられているステップ３８上で作業をしている作業者が、その位置で操作可能なように、スクリード１４の上部に取り付けられている。この切換スイッチ３３は、中立位置を基準位置として、操作レバーを例えば上下方向に傾倒することができるようになっている。そして、操作レバーを上方向に操作すると、その操作の間、モータ３６を正方向に駆動させる指示信号をコントローラ３１に出力し、モールボードが上昇する。また、操作レバーを下方向に操作すると、その操作の間、モータ３６を逆方向に駆動させる指示信号をコントローラ３１に出力し、モールボードが下降する。
【００２６】
前記高さセンサ３４は、モールドボード１９の高さ位置を検出し、該検出信号をコントローラ３１に入力するようになっている。ここで検出された信号は、コントローラ３１で処理され、モールドボード１９の高さ位置情報として、位置表示手段３５に表示させる。該位置表示手段３５は、図１に示すように、スクリード１４の後部に設けられているステップ３８上で作業をしている作業者から視認可能な場所、例えばスクリード１４の上部に設置されている。
【００２７】
したがって、このように構成されたアスファルトフィニッシャ１０では、作業の途中で、作業者が切換スイッチ３３を操作してモータ３６を回転させると、モータ３６の回転方向に応じてシャフト２３が回転し、シャフト２３の回転方向に応じて前記ボス２６が左右何れかの方向に移動して、ガイド孔２８がピン２９を上下何れかの方向へ押圧するため、モールドボード１９が上または下側へ移動して、モールドボード１９の下端部と路面との隙間を変更することができることになる。
【００２８】
なお、本発明は、本発明の精神を逸脱しない限り種々の改変を為すことができ、そして、本発明が該改変されたものに及ぶことは当然である。
【００２９】
例えば、上記実施の形態では、モールドボード１９の高さ位置を高さセンサ３４により検出し、その位置情報を位置表示手段３５上に表示する構成としたが、モールドボード１９の左右両端とスクリード１４との間に、ゲージを各々設け、そのゲージを作業者が見ながら切換スイッチを操作するようにしてもよい。
【図面の簡単な説明】
【００３０】
【図１】本発明の一実施の形態を示し、アスファルトフィニッシャの側面図。
【図２】本発明の一実施の形態を示し、スクリードの正面図。
【図３】本発明の一実施の形態を示し、スクリードの平面図。
【図４】本発明の一実施の形態を示し、主スクリードの側面図。
【図５】本発明の一実施の形態を示し、後方から見たモールドボードの正面図。
【図６】上下調整機構の要部拡大図。
【図７】図６のＡ−Ａ線矢視図。
【図８】上下位置調整装置の構成ブロック図。
【符号の説明】
【００３１】
１０      アスファルトフィニッシャ(舗装機械)
１４      スクリード
１５      主スクリード
１６      伸縮スクリード
１９      モールドボード
２０      パイプ軸
２３      シャフト
２４      上下調整機構
２５      ねじ部
２６      ボス
２７      アーム
２８      ガイド孔
２９      ピン
３０      上下位置調整装置
３１      コントローラ
３２      駆動機構
３３      切換スイッチ
３４      高さセンサ
３５      位置表示手段
３６      モータ
３７ａ，３７ｂ  歯車
３８      ステップ
【図１】
2008190180.tif 000003
【図２】
2008190180.tif 000004
【図３】
2008190180.tif 000005
【図４】
2008190180.tif 000006
【図５】
2008190180.tif 000007
【図６】
2008190180.tif 000008
【図７】
2008190180.tif 000009
【図８】
2008190180.tif 000010